(57)【特許請求の範囲】
【請求項１】
光ファイバ心線を導出入する心線導出入部１１と、該心線導出入部１１から入る心線相互を接続した心線接続部のコネクタを収納するコネクタ収納部１２と、心線余長を巻回して収納する心線余長収納部１３とを備えた心線接続用トレイ２を複数枚重ねて配備する心線接続収納ケース１０であって、
コネクタと心線余長とを収納できる複数枚の前記心線接続用トレイ２が、上面に観音開きに蓋体６を回動自在に備え、互に心線取出方向を上面にする方向で水平に、かつそれぞれ個々に開閉自在にトレイベース５に装着されて心線接続収納ケース１０とし、心線接続用トレイ２とともに該トレイベース５をクロージャ１内に固着したフレーム３上のトレイ収納部４に挿脱自在に配備し、さらに複数枚の心線接続用トレイ２の装着された前記トレイベース５の心線導出入部に間隔をあけて、複数のガイドリブ１７，１７１  ，１７２  ，１７３  を並設して複数の心線通路１６，１６１  を形成して、該ガイドリブ１７，１７１  間或いは１７２  ，１７３  間の心線通路１６，１６１  に心線を通して振り分け配線してなることを特徴とする心線接続収納ケース。
【請求項２】
請求項１に記載の心線接続収納ケース１０において、複数の心線接続用トレイ２をトレイベース５に着脱自在で前後方向を交互に逆に段積装着した積層トレイとしたことを特徴とする心線接続収納ケース。
【請求項３】
請求項２に記載の心線接続収納ケースにおいて、前記トレイベース５に突設された係合突部８に係合する係合凹部７を前記心線接続用トレイ２の底板の両側縁部対称位置に備え、該心線接続用トレイ２を前後いずれの方向でも着脱自在に装着できる構成としてなることを特徴とする心線接続収納ケース。
【請求項４】
前記請求項２または請求項３に記載の心線接続収納ケースにおいて、前記トレイベース５の両外側面部に係止爪部９を突設し、該係止爪部９が前記トレイ収納部４の案内溝１４に摺動自在に嵌装されると共に、該案内溝１４に形成されるロック部１５に係脱する構成としたことを特徴とする心線接続収納ケース。
【発明の詳細な説明】
【０００１】
【発明の属する技術分野】
本発明は、通信ケーブル、特に光ファイバ心線を有する光ファイバケーブル（以下光ケーブル）の架空区間において、固定配線区画の配線点や、ケーブル接続点における外被接続並びに架空ケーブルや地下ケーブルなどの光ケーブルとの接続のために用いられ、光ケーブルの接続部を保護し、心線余長を収納する心線接続収納ケースに関するものである。
【０００２】
【従来の技術】
従来より、光ケーブルの分岐、引込、接続などを行う場合、クロージャ内においてケーブル心線相互を接続すると共に、ケーブル心線の余長分を収納するための心線接続余長収納ケースが用いられている。このケースは、トレイ本体に心線を導出入する部分となる心線導出入部と、その心線導出入部から導出入させる幹線用光ケーブルから引き出された光ファイバ心線同士或いは分岐用光ケーブルから引き出された心線とを接続するコネクタ等の接続部が収納されるコネクタ収納部と、さらに接続された心線の余長部分を巻回して保護収納する心線余長収納部とを備えたものが知られている。
【０００３】
【発明が解決しようとする課題】
ところが、光ケーブルを用いた通信網ではケーブルの高密度、多心化が進むにつれて心線余長収納部ではその容量が不足しがちになり、クロージャ内での多数枚重ねられた心線収納トレイの多様化で心線余長の納まりが悪くなって、心線にストレスが掛ることが多かったり、心線の光損失が生じ伝送特性に悪影響を与えたり接続分岐に伴う作業や配線整理がやりにくいし、さらには増設も簡単には対応できずコンパクト化できないといった問題が生じている。
【０００４】
本発明は、これら従来の事情に鑑みてなされたものであり、光ケーブルの伝送特性に悪影響を与えることなく光ケーブルの接続や切り替え或いは分岐接続作業や再収納作業が容易に実施でき、複数接続単位で複層化とした高密度収納構造によってテープ心線ごとの収納や整理のほか心線ごとの増減が簡単にでき増設も楽で、きわめてコンパクトに接続部を安全に収納することができる取扱い簡便な心線接続収納ケースを安価な形態で提供することを目的とするものである。
【０００５】
上述の課題を解決するために、請求項１の発明は、光ファイバ心線を導出入する心線導出入部と、該心線導出入部から入る心線相互を接続したコネクタを収納するコネクタ収納部と、心線余長を巻回して収納する心線余長収納部とを備えた心線接続用トレイを複数枚重ねて配備する心線接続収納ケースであって、コネクタと心線余長とを収納できる複数枚の前記心線接続用トレイが、上面に観音開きに蓋体を回動自在に備え、互に心線取出方向を上面にする方向で水平に、かつそれぞれ個々に開閉自在にトレイベースに装着されて心線接続収納ケースとし、心線接続用トレイとともに該トレイベースをクロージャ内に固着したフレーム上のトレイ収納部に挿脱自在に配備し、さらに複数枚の心線接続用トレイの装着された前記トレイベースの心線導出入部に間隔をあけて、複数のガイドリブを並設して複数の心線通路を形成して、該ガイドリブ間の心線通路に心線を通して振り分け配線してなることを特徴とする。
【０００６】
請求項２の発明は、請求項１に記載の心線接続収納ケースにおいて、複数の心線接続用トレイをトレイベースに着脱自在で前後方向を交互に逆に段積装着した積層トレイとしてなることを特徴とする。
【０００７】
請求項３の発明は、請求項２に記載の心線接続収納ケースにおいて、前記トレイベースに突設された係合突部に係合する係合凹部を前記心線接続用トレイの底板の両側縁部対称位置に備え、該心線接続用トレイを前後いずれの方向でも着脱自在に装着出来る構成としてなることを特徴とする。
【０００８】
請求項４の発明は、請求項２又は請求項３に記載の心線接続収納ケースにおいて、前記トレイベースの両側面部に係止爪部を突設し、該係止爪部が前記トレイ収納部の案内溝に摺動自在に嵌装されると共に、該案内溝に形成されるロック部に係脱する構成としてなることを特徴とする。
【０００９】
【作用】
本発明の心線接続収納ケースは、光ファイバ心線の接続余長部分を保護収納する複数の心線接続用トレイがお互いに回動自在で着脱自在に連結されているので、任意の心線接続用トレイを開いて或いは取り出したりして心線の接続作業や接続状況の点検、確認、調整などをきわめて容易に安全に行うことができる。
また、心線接続収納ケースは複数の心線接続用トレイでの接続単位で複数層化とした高密度収納構造で、各心線接続用トレイは、心線接続部は固定しないし、心線余長も曲率半径を確保した上で取り回し収納できるので、心線余長の吸収に自由度を持たせて納められ、伝送特性に悪影響を及ぼすことがない。
しかも、心線接続後に上側の心線接続用トレイを回動させて元の位置に戻しても光ファイバ心線に弛みが生じないし、心線に過度に屈曲することがなく曲率半径の小さい円弧状部分をも生じないで収納でき安全な保護ができる。  さらに、トレイベースを介して心線接続用トレイの集合体となる心線接続収納ケースをトレイ収納部に挿し込むことができるし、隣接される接続用トレイをトレイ収納部から外して開閉することにより、連結した心線接続用トレイを別個に露出することができ、接続作業や心線接続用トレイの更新並びに増設が容易にできるし、簡易な心線識別とハードトレイ化による安全性向上と任意心線の取り出し、接続、再収納作業に対するハンドリング特性の向上とが図れるほか、トレイベースの心線導出入部に間隔をあけて、複数のガイドリブを並設して複数の心線通路を形成して該心線通路に心線を通してあるので、各心線接続収納トレイの心線導出入部から出入する心線をトレイベースの心線導出入口で振り分けることができて心線を心線接続収納ケースに対して安全に収納することができる。
【００１０】
【発明の実施の形態】
本発明の実施例を図面を用いて説明すると、架空心線接続クロージャ１には複数枚の心線接続用トレイ２を多重に積み重ねてトレイベース５に配備したものからなる心線接続収納ケース１０を内装配備しているが、前記心線接続用トレイ２には光ファイバ心線を導出入する心線導出入部１１と、該心線導出入部１１から入る心線相互を接続したコネクタを収納するコネクタ収納部１２と、心線余長を巻回して収納する心線余長収納部１３とを備えてある。
【００１１】
そして、前記心線接続用トレイ２は、合成樹脂により一体成形された成形品で構成されたもので、前記心線接続用トレイ２の心線導出入部１１のある底板の両側縁部対称位置に係合凹部７，７をそれぞれ対向して設け、各心線接続トレイ２を重ねた状態において、トレイベース５に突設された係合突部８に嵌挿してなるものである。
【００１２】
前記心線接続収納ケース１０としては、図１乃至図４に示すように４心テープ一括収納タイプとした心線接続用トレイ２を集合したもので、心線の接続用コネクタが収納保持されるコネクタ収納部１２と、該コネクタ収納部１２に保持された接続用コネクタから導出される心線余長を引き廻し、ループ状に巻回させて保持する心線余長収納部１３とを区画して備え、心線押え片２１のある略長方形のトレイを用いる。
【００１３】
そして、前記クロージャ１内に固着したフレーム３にトレイ収納部４、例えば棚状ケースを設け、該トレイ収納部４に前記心線接続用トレイ２をトレイベース５を介して挿脱自在に備えて、心線接続用トレイ２が心線取出方向を上面にする方向で水平に装着され、かつ心線接続部と心線余長とを一括収納できる構成とすると共に、該心線接続用トレイ２の上面に蓋片６を観音開きに回動自在に設けてなる。
【００１４】
なお、複数の前記心線接続用トレイ２をトレイベース５に着脱自在とするには、前後方向を交互に逆に段積装着した積層収納トレイとなる心線接続収納ケース１０とするのがよい。この場合、前記トレイベース５に突設された係合凸部８に係合する係合凹部７は前記心線接続用トレイ２の底板の両側縁部対称位置に備え、該心線接続用トレイ２を前後いずれの方向でも着脱自在に装着できる構成としてなる。さらに心線接続用トレイ２て用いる形態として、引き落しケーブルの保護を容易にする。
また、前記トレイベース５の両側面部に係止爪部９と、ガイドリブ１７，１７１  ，１７２  ，１７３  とを突設し、該係止爪部９が前記トレイ収納部４の案内溝１４に摺動自在に嵌装されると共に、該案内溝１４に形成されるロック部１５に係脱する構成としてクロージャ１内での心線接続用トレイ２をトレイ収納部４から引き出し移動位置させて心線接続作業が簡便にできるし、複数の前記ガイドリブ１７，１７１  間と，１７２  ，１７３  間とで形成される複数の心線通路１６，１６１  に心線を振り分け配線できるようにして心線を心線接続用収納ケース１０に対して安全に収納することができるように構成されている。
【００１５】
また、前記心線接続用トレイ２に形成した舌状の係止片１８のある心線導出入部１１には、分離スリットのある心線挿通孔を設けた弾性保持部材（図示せず）を圧入嵌合して心線の支持を確実にしてあり、この弾性保持部材は心線径或いは心線数に応じた挿通孔のあるものを選んで用いられる。
さらに、コネクタ収納部１２及び心線余長収納部１３は、必要に応じガイドリブ及び側壁を選んで区画してもよいし、心線の浮きを阻止する心線押え片２１或いは係止爪を一体成形して余長の心線や心線接続部となるコネクタを心線接続用トレイ２内に確実に保持できるようにするか、またコネクタ収納部１２或いは心線余長収納部１３のみを区画した心線接続用トレイ２を組合せて一つとした形態としてもよく、各心線接続用トレイ２毎に心線を分離整理収納し、ケーブル挿入部からファイバ心線の曲げが極少で心線収納時のねじれをも防止でき、安全かつ高密度収納で高信頼性が得られるようにする。
【００１６】
この場合、多段に積み重ねられた心線接続用トレイ２の中から所望の心線接続用トレイ２の上段側の心線接続用トレイ２の係合凹部７を係合凸部８から外せば、トレイ収納部４から引き出せ蓋片６が回動でき、重ね合せ面を開くことができて下段側の心線接続用トレイ２の内面側が露出されて収納心線の接続配線作業が容易にできる。
なお、心線接続用トレイ２には必要に応じトレイ内の心線を整形するための指挿入用窓孔２２を形成して、収納心線余長の納め方をすっきりできるようにすることもできる。
【００１７】
さらに、一方の心線接続用トレイ２を他方の心線接続用トレイ２に連結するときは、トレイ収納部４に嵌装して水平方向に軽く押し込めば、係合凹部７がその押力で弾性変位して、トレイベース５の係合凸部８に容易に嵌込まれて連結保持される。
また取り外しの際には、トレイ収納部４の前方側にトレイベース５をスライドさせると、係止爪部９が外れトレイベース５と一緒に心線接続用トレイ２が前方に引き出せ係合凹部７を係合凸部８から外せば、心線接続用トレイ２が抜き出せ簡単に外すことができ、心線接続用トレイ２内の心線の点検、修理、接続の各作業が簡便に行うことができる。
【００１８】
なお、前記心線導出入部１１は、片側に設けたシングルタイプに限らず両側に対に設け、即ち四隅に設けたダブルタイプのものを用いることもできるし、しかも合成樹脂の射出成形により、心線接続用トレイ２を略正方形、長方形の四角形または楕円形に形成されるので、コネクタ収納部１２に隣接される心線余長収納部１３には所定間隔に配列される心線の押え片２１および蓋片６で伝送特性に悪影響が及ばないように心線がなめらかに湾曲したループ状に巻回保持できるように配慮してある。
例えば、前記心線接続用トレイ２には曲率半径３０ｍｍ以上を確保して心線の取り回し、収納ができ、各種の接続部例えば、融着補強スリーブ、メカニカルスプライス、ＭＴコネクタなどの収納可能であって、トレイベース５に５段の心線接続用トレイ２を積層して各トレイ単位で脱着可能に設け、心線余長と心線接続部を一括収納できる。
この場合は、心線接続用トレイ２の一つは、接続部は固定しない構造として心線余長の吸収に自由度を持たせることもできるし、一つのトレイに４０心線分（４心テープ１０本分）の収納が可能で、さらに識別ホルダーを用いれば、２０心単位の心線識別が可能の形態とすることもできる。
【００１９】
前記心線接続収納ケース１０は、複数重ね合わせて棚状のトレイ収納部４に載置保持され図５乃至図７に示すように二つ割りのスリーブ１１  , １２  ，からなる円筒状のクロージャ１内に組み込まれて用いられるが、該スリーブ１１  ，１２  ，はヒンジ締結具３０により脱着自在に定着すると共に、フレーム３には配線処理ガイド３１と、ケーブル把持金具３２１  と、ケーブルテンションメンバ把持金具３２とを配置固定でき、前記スリーブ１１  ，１２  ，の外側に配置固定できる配線リング３３を備えている。
この場合、前記配線処理ガイド３１によりテープ心線と分岐心線との動きを分離させ、テープ心線は常に配線処理ガイド３１の後側に配置している。
【００２０】
前記スリーブ１１  ，１２  の両端壁嵌合部に嵌装された端面板２５とを備えたクロージャ１の例で説明すると、端面板２５にスペーサ２６を介して、主線光ケーブルＡが貫通されてケーブル把持金具３２１  で固定され、かつ、該ケーブルのテンションメンバが、テンションメンバ把持金具３２に接続連結されている。前記スペーサ２６には、ドロップケーブルの挿通用の閉塞孔を多数備え、引落し時に閉塞孔を開口してドロップケーブルをクロージャ１外に導出入できるようにしてある。また心線接続用トレイ２から導出された接続心線ａは端面板２５から導出されて分岐ケーブルＢ及びＣとして配線される。前記スリーブ１１  ，１２  は、分割接合面を突き合わせ密封結合するが、スリーブ外側に設けたヒンジ部にループ状リングからなるヒンジ締結具３０を掛止めて連結一体化するようになっている。
【００２１】
なお、前記心線接続用トレイ２に設けた係合凹部７は、心線接続用トレイ２が複数積み重ねられたときに必要に応じ、支杆２４などをトレイ収納部４に嵌挿して連結固定保持するために用いてもよいし、上下段ごとに連結ボスを嵌装して連結する形態とすることもできる。
【００２２】
また、図４に示すように、前記心線接続用トレイ２の複数を互に心線取出方向を上面にする方向で水平に、かつそれぞれ個々に保持するトレイベース５では、その心線導出入部１１に心線通路となる間隔をあけて複数のガイドリブ１７，１７１  ，１７２  ，１７３  を並設し、複数の心線通路１６，１６１  を形成し各トレイに出入する心線を各ガイドリブ間に通して振り分け配線できるようにしてある。例えばトレイの下から１〜３段目まではガイドリブ１７３  ，１７２  との間の心線通路１６１  から心線を出し、またトレイ４〜５段目はガイドリブ１７１  ，１７の間の心線通路１６から出すことで、各心線接続用トレイ２の心線導出入部から出入する心線をトレイベース５の心線導出入口で振り分けることができて心線を心線接続用収納ケース１０に対して安全に収納することができるように配慮されている。
【００２３】
【発明の効果】
本発明は、光ファイバ心線を導出入する心線導出入部と、該心線導出入部から入る心線相互を接続したコネクタを収納するコネクタ収納部と、心線余長を巻回して収納する心線余長収納部とを備えた心線接続用トレイを複数枚重ねて配備する心線接続収納ケースであって、コネクタと心線余長とを収納できる複数枚の前記心線接続用トレイが、上面に観音開きに蓋体を回動自在に備え、互に心線取出方向を上面にする方向で水平に、かつそれぞれ個々に開閉自在にトレイベースに装着されて心線接続収納ケースとし、心線接続用トレイとともに該トレイベースをクロージャ内に固着したフレーム上のトレイ収納部に挿脱自在に配備し、さらに複数枚の心線接続用トレイの装着された前記トレイベースの心線導出入部に間隔をあけて、複数のガイドリブを並設して複数の心線通路を形成して該ガイドリブ間に心線を通して振り分け配線してなることで、トレイベース上に上下の心線接続用トレイの係脱が簡便にできて、簡単に多段に積み重ねることができ、しかも複数枚重ねられた心線接続用トレイは心線導出入部より光ケーブルの伝送特性に悪影響を与えることなく光ケーブルの接続や切り替え或いは分岐接続作業や再収納作業が容易に実施でき、複数接続単位で複層化とした高密度収納構造によってテープ心線ごとの収納や整理のほか、心線ごとの増減が簡単にでき増設も楽で、きわめてコンパクトに接続部を安全に収納することができるので、心線接続作業後に任意の収納トレイを開いて収納されている光ファイバ心線を迅速に取り出すことができ、心線識別も容易で接続部の再調整や修理など簡単に行うことができ、作業性を大幅に向上すると共に、各心線接続用トレイを必要なだけトレイベースに複数に積み重ねることができるほか、トレイベースを介して心線接続用トレイの集合体となる心線接続収納ケースをトレイ収納部に挿し込むことができるし、隣接される心線接続用トレイをトレイ収納部から外して開閉することにより、連結した心線接続用トレイを別個に露出することができ、接続作業や心線接続用トレイの更新並びに増設が容易にできるし、簡易な心線識別とハードトレイ化による安全性向上と任意心線の取り出し、接続、再収納作業に対するハンドリング特性の向上とが図れるほか、トレイベースの心線導出入部に間隔をあけて、複数のガイドリブを並設して複数の心線通路を形成して該心線通路に心線を通してあるので、各心線接続用トレイの心線導出入部から出入する心線をトレイベースの心線導出入口で振り分けることができて心線を心線接続収納ケースに対して安全に収納することができると共に、多段に積み重ねられた心線接続用トレイ全体を的確に保持できて安全性も高められる。
また本発明によれば、心線余長の収納が収まり良くできるし、心線の巻回収納にも余裕があり、しかも心線の保持も緩衝的に行なわれているので、心線に弛みが生じないし、各心線接続用トレイを展開しても収納した光ファイバの余長部の長さの変化が少ないので、光ファイバの余長部の長さの変化が少なく、光ファイバ心線に無理な屈曲や小円弧が発生することなく光損失をなくして伝送特性を良好に保ことができる。
さらに、本発明によれば、心線の分岐、引込の際に心線接続用トレイへの心線導出入の自由度があって作業上、心線接続部へのアクセスが簡便化でき、管理や組立分解作業も容易に行なえ、かつ高密度・高信頼性が得られる。殊に、必要なだけ多段に積み重ねた心線接続用トレイ同士が外れたりずれたりすることなく、簡単確実に結合されて識別容易な心線接続部を持ったクロージャとして安全性を大幅に高め、心線余長収納での高信頼性がえられるし、収納トレイ相互間をネジ止め等することなく脱着でき取扱いも著しく容易化でき、かつコンパクト化が図れる。
【図面の簡単な説明】
【図１】図１は本発明の実施例の一使用状態の心線接続収納ケースを示し、（ａ）はその平面図、（ｂ）はその側面図である。
【図２】図１の例の心線接続用トレイを示し、（ａ）はその展開平面図，（ｂ）はｂ−ｂ線における縦断面図、（ｃ）はｃ−ｃ線における縦断面図である。
【図３】図１の例のトレイベースを示し、（ａ）はその平面図、（ｂ）はその正面図、（ｃ）はその側面図である。
【図４】図３の例の係止部を示し、（ａ）はその拡大側面図、（ｂ）はその拡大斜視図である。
【図５】図１の例の一使用状態の一部切断側面図である。
【図６】図５の例のクロージャを示し、（ａ）はその一部を切欠して内部を示す平面図、（ｂ）はその一部切欠側面図である。
【図７】図６の例のクロージャを示し、（ａ）はその正面図、（ｂ）は図５のＡ−Ａ線における縦断面図である。
【符号の説明】
１    クロージャ
１１  , １２      スリーブ
２    心線接続用トレイ
３    フレーム
４    トレイ収納部
５    トレイベース
６    蓋片
７    係合凹部
８    係合凸部
９    係止爪部
１０    心線接続収納ケース
１１    心線導出入部
１２    コネクタ収納部
１３    心線余長収納部
１４    案内溝
１５    ロック部
１６，１６１      心線通路
１７，１７１  ，１７２  ，１７３    ガイドリブ
１８    係止片
１９    係止爪部
２０    ヒンジ部
２１    心線押え片
２２    指挿入用窓孔
２３    係止用ノブ
２４    支杆
２５    端面板
２６    スペーサ
３０    ヒンジ締結具
３１    配線処理ガイド
３２    ケーブルテンションメンバ把持金具
３２１    ケーブル把持金具
３３    配線リング
【図１】
0004231161.tif 000002
【図２】
0004231161.tif 000003
【図３】
0004231161.tif 000004
【図４】
0004231161.tif 000005
【図５】
0004231161.tif 000006
【図６】
0004231161.tif 000007
【図７】
0004231161.tif 000008